(57)【要約】      （修正有） 【課題】部品点数が少なく、組み立て易く、製造コストが低いなどのメリットがあると共に、感電防止効果を向上させ、安全性がより高く、電気火花現象またはアーク現象が起きないようにする安全コンセントを提供する。【解決手段】安全コンセントは、本体と、第一導電座と、第二導電座と、第一電気接続片４０と、第二電気接続片５０と、第一絶縁片６０と、第二絶縁片７０とを備える。本体の設置台座１３の第一収納槽１３１、第二収納槽にそれぞれ第一位置決めブロック１３１１、第二位置決めブロックが突出設される。第一導電座は第一挟持部材を含み、第一挟持部材は二つの第一挟持アームを含み、第一挟持アームに第一凹穴１３１２が凹設され、第一位置決めブロック１３１１は第一凹穴１３１２に収容される。第二導電座は第二挟持部材を含み、第二挟持部材は二つの挟持アームを含み、第二挟持アームに第二凹穴が凹設され、第二位置決めブロックは第二凹穴に収容される。【選択図】図３Ａ
0003216867.tif 000002
【実用新案登録請求の範囲】
【請求項１】
プラグの挿入に用いられる安全コンセントであって、
カバーと、ベースと、設置台座とを含む本体であって、前記カバーは第一挿入穴及び第二挿入穴を有し、かつ着脱可能に前記ベースに組み立てられることにより前記ベースと共に収納空間を形成し、前記設置台座は前記収納空間の中に配置され、かつ第一収納槽及び第二収納槽を含み、前記第一収納槽の底部と前記第一収納槽における前記第二収納槽寄りの一側の内側の壁との接続部に第一位置決めブロックが突設され、前記第二収納槽の底部と前記第二収納槽における前記第一収納槽寄りの一側の内側の壁との接続部に第二位置決めブロックが突設される本体と、
前記設置台座の第一収納槽に設けられ、前記第一挿入穴の下方に位置し、かつ第一挟持部材及び二つの第一回動部材を含み、前記第一挟持部材は第一基部及び二つの第一挟持アームを含み、前記第一基部の短手方向の両側は、それぞれ第一側辺と第二側辺とし、長手方向の両端はそれぞれ第一端部と第二端部とし、前記二つの第一挟持アームは、前記第一基部の頂部に一体的に形成されると共に、それぞれが前記第一基部の第一端部と第二端部の近くに位置し、前記第一基部の第一側辺に第一凹穴が凹設され、前記第一位置決めブロックは前記第一凹穴の中に収容され、前記二つの第一回動部材はそれぞれ回動可能に前記第一基部に設けられ、かつ前記第一基部の第一端部と第二端部の近くに位置し、前記二つの第一回動部材における相互に遠ざかる面にそれぞれ接触点が設けられる第一導電座と、
前記設置台座の第二収納槽に設けられ、前記第二挿入穴の下方に位置し、かつ第二挟持部材及び二つの第二回動部材を含み、前記第二挟持部材は第二基部及び二つの第二挟持アームを含み、前記第二基部の短手方向の両側は、それぞれ第一側辺と第二側辺とし、長手方向の両端はそれぞれ第一端部と第二端部とし、前記二つの第二挟持アームは、前記第二基部の頂部に一体的に形成されると共に、それぞれが前記第二基部の第一端部と第二端部の近くに位置し、前記第二基部の第一側辺に第二凹穴が凹設され、前記第二位置決めブロックは前記第二凹穴の中に収容され、前記二つの第二回動部材はそれぞれ回動可能に前記第二基部に設けられ、かつ前記第二基部の第一端部と第二端部の近くに位置し、前記二つの第二回動部材における相互に遠ざかる面にそれぞれ接触点が設けられる第二導電座と、
前記設置台座に設けられ、第一電線に電気的に接続され、かつ接触点を含む第一電気接続片と、
前記設置台座に設けられ、第二電線に電気的に接続され、かつ接触点を含む第二電気接続片と、
前記第一電気接続片と前記第一回動部材のうちの一方との間に配置される第一絶縁片と、
前記第二電気接続片と前記第二回動部材のうちの一方との間に配置される第二絶縁片と、
第一端部と第二端部を含み、前記第一端部は、前記第一収納槽に進入すると共に、前記第一電気接続片と前記第一絶縁片との間に位置し、前記第一電気接続片との間には一定の距離が存在し、かつ前記第一電気接続片に面する一面には接触点が突出され、前記第二端部は、前記第二収納槽に進入すると共に、他方の前記第二回動部材の一側に位置し、他方の前記第二回動部材との間に一定の距離が存在し、かつ他方の前記第二回動部材に面する一面には接触点が突出される第一導電片と、
第一端部と第二端部を含むと共に前記第一導電片と接触せず、前記第一端部は、前記第二収納槽に進入すると共に、前記第二電気接続片と前記第二絶縁片との間に位置し、前記第二電気接続片との間には一定の距離が存在し、かつ前記第二電気接続片に面する一面には接触点が突出され、前記第二端部は、前記第一収納槽に進入すると共に、他方の前記第一回動部材の一側に位置し、他方の前記第一回動部材との間に一定の距離が存在し、かつ他方の前記第一回動部材に面する一面には接触点が突出される第二導電片と、
を備え、
前記プラグの二つのピンがそれぞれ前記第一挿入穴と前記第二挿入穴に挿入される場合、前記ピンのうちの一方が前記二つの第一挟持アームの間に挟持されると共に、前記二つの第一挟持アームが相互に遠ざかるように外側へ押され、前記二つの第一回動部材が前記二つの第一挟持アームにより相互に遠ざかるように外側へ押され、前記二つの第一回動部材のうちの一方の接触点が前記第一絶縁片を押し、前記第一絶縁片が前記第一電気接続片を押すことにより前記第一電気接続片の接触点を前記第一導電片の第一端部の接触点と電気的に接触させると共に、前記第一回動部材のうちの他方の接触点を前記第二導電片の第二端部の接触点と電気的に接触させ、前記ピンのうちの他方が前記二つの第二挟持アームの間に挟持されると共に、前記二つの第二挟持アームが相互に遠ざかるように外側へ押され、前記二つの第二回動部材が前記二つの第二挟持アームにより相互に遠ざかるように外側へ押され、前記第二回動部材のうちの一方の接触点が前記第二絶縁片を押し、前記第二絶縁片が前記第二電気接続片を押すことにより前記第二電気接続片の接触点を前記第二導電片の第一端部の接触点と電気的に接触させると共に、前記第二回動部材のうちの他方の接触点を前記第一導電片の第二端部の接触点と電気的に接触させ、これにより、前記第一及び第二電気接続片、前記第一及び第二導電片、他方の前記第一回動部材、他方の前記第二回動部材、前記二つのピンを導通状態にし、
前記プラグの二つのピンが前記第一挿入穴と前記第二挿入穴から抜き出される場合、前記二つの第一回動部材が復帰するように内側へ移動され、前記二つの第二回動部材が復帰するように内側へ移動されることにより、前記第一及び第二電気接続片、前記第一及び第二絶縁片、前記二つの第一回動部材、前記二つの第二回動部材及び前記第一、第二導電片の第一、第二端部を相互に遠ざかるように非導通状態にする、安全コンセント。
【請求項２】
前記第一基部に二つの第一通し穴が設けられ、前記二つの第一挟持アームは前記二つの第一通し穴の間に位置し、前記二つの第一回動部材の底部にそれぞれ第一ホックが突出され、前記二つの第一ホックはそれぞれ前記二つの第一通し穴を通過し、かつ前記第一基部に引っ掛けることにより、前記二つの第一回動部材が着脱可能に前記第一基部に設けられると共に、前記第一基部の第一端部、第二端部の近くに位置するようにし、前記第一導電座は第一弾性部材を含み、前記第一弾性部材の両端部はそれぞれ前記二つの第一回動部材に設けられ、
前記第二基部に二つの第二通し穴が設けられ、前記二つの第二挟持アームは前記二つの第二通し穴の間に位置し、前記二つの第二回動部材の底部にそれぞれ第二ホックが突出され、前記二つの第二ホックはそれぞれ前記二つの第二通し穴を通過し、かつ前記第二基部に引っ掛けることにより、前記二つの第二回動部材が着脱可能に前記第二基部に設けられると共に、前記第二基部の第一端部、第二端部の近くに位置するようにし、前記第二導電座は第二弾性部材を含み、前記第二弾性部材の両端部はそれぞれ前記二つの第二回動部材に設けられ、
前記二つの第一回動部材がピンのうちの一方に相互に遠ざかるように押される場合、前記二つの第一回動部材は前記第一ホックを支点として前記第一基部に対して外へ回動することにより、前記第一弾性部材が前記二つの第一回動部材に引っ張られるようにし、
前記二つの第二回動部材がピンのうちの他方に相互に遠ざかるように押される場合、前記二つの第二回動部材は前記第二ホックを支点として前記第二基部に対して外へ回動することにより、前記第二弾性部材が前記二つの第二回動部材に引っ張られるようにし、
前記プラグの二つのピンが前記第一挿入穴と前記第二挿入穴から抜き出される場合、前記二つの第一回動部材が前記第一弾性部材による弾力により復帰するように内側に引っ張られ、前記二つの第二回動部材が前記第二弾性部材による弾力により復帰するように内側に引っ張られる、請求項１に記載の安全コンセント。
【請求項３】
前記第一収納槽の底面に二つの第一凹部が凹設され、前記二つの第一回動部材の第一ホックはそれぞれ前記二つの第一凹部に収容され、前記第二収納槽の底面に二つの第二凹部が凹設され、前記二つの第二回動部材の第二ホックはそれぞれ前記二つの第二凹部に収容される、請求項２に記載の安全コンセント。
【請求項４】
前記二つの第一凹部及び前記二つの第二凹部のいずれも前記設置台座の底部を貫通する貫通孔状となる、請求項３に記載の安全コンセント。
【請求項５】
前記第一収納槽の底面に二つの第一溝が凹設され、前記二つの第一溝が前記第一収納槽の短手方向に沿って伸びると共に、それぞれ前記二つの第一凹部を通過し、前記第一凹部のそれぞれが前記第一収納槽の長手方向における幅は、前記第一溝のそれぞれが前記第一収納槽の長手方向における幅より大きく、
前記第二収納槽の底面に二つの第二溝が凹設され、前記二つの第二溝が前記第二収納槽の短手方向に沿って伸びると共に、それぞれ前記二つの第二凹部を通過し、前記第二凹部のそれぞれが前記第二収納槽の長手方向における幅は、前記第二溝のそれぞれが前記第二収納増の長手方向における幅より大きい、請求項３または４に記載の安全コンセント。
【請求項６】
前記第一回動部材のそれぞれは、第一内壁、第一外壁及び第一湾曲部が一体的に形成され、前記第一湾曲部が第一内壁と第一外壁の底部と接続され、前記第一内壁が他の第一回動部材に向かって伸びてから折返して伸びるようにＺ字形に折曲されると共に、その頂部から第一突っ張り部が突設され、前記第一弾性部材はバネであり、かつ両端がリング状となると共に前記二つの第一突っ張り部に引っ掛けるように設けられ、第一回動部材のそれぞれの接触点は前記第一外壁における前記第一内壁から遠ざかる側に設けられ、
前記第二回動部材のそれぞれは、第二内壁、第二外壁及び第二湾曲部が一体的に形成され、前記第二湾曲部が第二内壁と第二外壁の底部と接続され、前記第二内壁が他の第二回動部材に向かって伸びてから折返して伸びるようにＺ字形に折曲されると共に、その頂部から第二突っ張り部が突設され、前記第二弾性部材はバネであり、かつ両端がリング状となると共に前記二つの第二突っ張り部に引っ掛けるように設けられ、第二回動部材のそれぞれの接触点は前記第二外壁における前記第二内壁から遠ざかる側に設けられる、請求項２に記載の安全コンセント。
【請求項７】
前記第一収納槽における前記第二収納槽から遠ざかる一側の内側壁に二つの第一ガイド槽が設けられ、前記第二収納槽における前記第一収納槽から遠ざかる一側の内側壁に二つの第二ガイド槽が設けられ、前記二つの第一挟持アームの外側面にそれぞれ第一突出ブロックが突設され、前記二つの第一突出ブロックが前記二つの第一ガイド槽に摺接され、前記二つの第二挟持アームの外側面にそれぞれ第二突出ブロックが突設され、前記二つの第二突出ブロックが前記二つの第二ガイド槽に摺接される、請求項1に記載の安全コンセント。
【請求項８】
前記ベースの底部に第一嵌合穴が設けられ、前記ベースの側面にその頂部まで貫通する第一嵌合溝が設けられ、前記設置台座の底部に第二嵌合穴が設けられ、前記設置台座の側面にその底部まで貫通する第二嵌合溝が設けられ、前記第一電気接続片は第一端部と第二端部を有し、前記第一電気接続片の第一端部が前記第一収納槽に位置し、前記第一電気接続片の接触点は前記第一電気接続片の第一端部に設けられ、前記第一電気接続片の第二端部は、前記設置台座の底部の第二嵌合穴と前記ベースの底部の第一嵌合穴を通過すると共に前記第一電線と電気的に接続され、前記第一絶縁片が前記第一収納槽の底面から上へ突出すると共に、前記第一電気接続片の第一端部と第一回動部材のうちの一つとの間に位置し、前記第二電気接続片は第一端部と第二端部を有し、前記第二電気接続片の第一端部が前記第二収納槽に位置し、前記第二電気接続片の接触点は前記第二電気接続片の第一端部に設けられ、前記第二電気接続片の第二端部は、前記設置台座の側面の第二嵌合溝と前記ベースの側面の第一嵌合溝を通過すると共に前記第二電線と電気的に接続され、前記第二絶縁片が前記第二収納槽の底面から上へ突出すると共に、前記第二電気接続片の第一端部と第二回動部材のうちの一つとの間に位置する、請求項１に記載の安全コンセント。
【請求項９】
前記設置台座の底部から二つの柱体が下へ突出され、前記第一導電片が連結部を含み、前記第一導電片の連結部は前記第一導電片の第一端部、第二端部との間に接続されると共に位置決め穴が設けられ、前記柱体のうちの一方は前記第一導電片の連結部の位置決め穴に挿設され、前記第二導電片が連結部を含み、前記第二導電片の連結部は前記第二導電片の第一端部と第二端部との間に接続されると共に位置決め穴が設けられ、前記柱体のうちの他方は前記第二導電片の連結部の位置決め穴に挿設され、前記第一導電片の連結部が折曲することにより前記第二導電片の連結部を遠回りして前記第二導電片の連結部と接触しない、請求項１に記載の安全コンセント。
【請求項１０】
前記カバーに二つの貫通穴が設けられ、前記安全コンセントはさらにスイッチ装置を含み、前記スイッチ装置は前記設置台座に設けられると共に、板部材と、第三弾性部材と、第一スイッチと、第二スイッチと、を含み、前記第三弾性部材は、前記板部材の底部と前記設置台座の底面との間に設けられ、前記第一スイッチと前記第二スイッチは、前記板部材の頂部に設けられると共に、それぞれ前記二つの貫通穴を通過し、
前記プラグの二つのピンがそれぞれ前記第一挿入穴、前記第二挿入穴に挿入される場合、前記第一スイッチと前記第二スイッチが前記プラグに押されて下へ移動され、前記板部材が下へ移動されると共に前記第三弾性部材を付勢することで、前記第一スイッチと前記第二スイッチをそれぞれ前記第一導電片、前記第二導電片と電気的に接続されることにより、前記第一電気接続片、前記第二電気接続片、前記第一導電片、前記第二導電片、他方の前記第一回動部材、他方の前記第二回動部材、前記第一スイッチ、前記第二スイッチ、前記プラグの二つのピンを導通状態にし、
前記プラグの二つのピンが前記第一挿入穴と第二挿入穴から抜き出される場合、前記第三弾性部材による弾力で前記板部材が押されて上へ移動され、前記第一スイッチ、前記第二スイッチが上へ移動されると共に、前記第一導電片、前記第二導電片と電気的に分離されることにより、前記第一電気接続片、第二電気接続片、前記第一絶縁片、前記第二絶縁片、前記二つの第一回動部材、前記二つの第二回動部材、前記第一導電片及び前記第二導電片の第一端部、第二端部及び第一スイッチ、第二スイッチを相互に遠ざかるように非導通状態にする、請求項１に記載の安全コンセント。
【考案の詳細な説明】
【技術分野】
【０００１】
本考案はコンセント構造に関し、特に導電性を有するプラグ以外の異物が挿入される時における感電を防止することに用いられる安全コンセントに関する。
【背景技術】
【０００２】
コンセントは、電気製品のプラグの挿入のためのものであり、それにより電源を電気製品に接続させる。一般的に、コンセントには安全な設計が施されておらず、電気に関する常識を持っていない人、例えば子供が金属棒や針金などの導電性のある、プラグ以外の異物をコンセントの穴に挿入すると、感電事故になってしまう。現在、市場では上記問題を解決するために、すでに数多くの安全コンセントが見られる。例えば米国特許第８２９７９９６号と同第７９３１４８２号などがある。
【先行技術文献】
【特許文献】
【０００３】
【特許文献１】米国特許８２９７９９６号明細書
【特許文献２】米国特許７９３１４８２号明細書
【考案の概要】
【考案が解決しようとする課題】
【０００４】
しかしながら、今までの安全コンセントのいずれも構造が非常に複雑であり、部品点数も極めて多いので、組み立てには手間が掛かるため、コストが増えてしまう。また、部品点数が多いため、破損ないし損傷し易くなり、使用不便になることが多くある。
【０００５】
また、従来の安全コンセントの挿入穴は空気に露出されるため、プラグがコンセントの挿入穴に挿入される瞬間に電気火花現象が起き、また、プラグがコンセントから抜き出される瞬間にアーク現象が起きる。
【０００６】
本考案は、部品点数が少なく、組み立て易く、製造コストが低いなどのメリットがあると共に、導電性のある、プラグ以外の異物が挿入される時における感電を防止することができる、安全性が高い安全コンセントを提供することを目的とする。
【０００７】
また、本考案は、二つの安全措置が設けられ、感電防止効果を向上させる安全性がより高い、安全コンセントを提供することを目的とする。
【０００８】
なお、本考案は、プラグのピンがコンセントの挿入穴に挿入される際、またはコンセントの挿入穴から抜き出される瞬間に、電気火花現象またはアーク現象が起きないようにする安全コンセントを提供することを目的とする。
【課題を解決するための手段】
【０００９】
上記目的を達成するために、本考案は、プラグの挿入に用いられる安全コンセントを提供する。安全コンセントは、本体と、第一導電座と、第二導電座と、第一電気接続片と、第二電気接続片と、第一絶縁片と、第二絶縁片と、第一導電片と、第二導電片と、を備える。
【００１０】
前記本体は、カバーと、ベースと、設置台座と、を含み、前記カバーは第一挿入穴及び第二挿入穴を有し、かつ着脱可能に前記ベースに組み立てられることにより前記ベースと共に収納空間を形成し、前記設置台座は前記収納空間の中に配置され、かつ第一収納槽及び第二収納槽を含み、前記第一収納槽の底部と前記第一収納槽における前記第二収納槽寄りの一側の内側の壁との接続部に第一位置決めブロックが突設され、前記第二収納槽の底部と前記第二収納槽における前記第一収納槽寄りの一側の内側の壁との接続部に第二位置決めブロックが突設される。
【００１１】
前記第一導電座は、前記設置台座の第一収納槽に設けられ、前記第一挿入穴の下方に位置し、かつ第一挟持部材及び二つの第一回動部材を含み、前記第一挟持部材は第一基部及び二つの第一挟持アームを含み、前記第一基部の短手方向の両側は、それぞれ第一側辺と第二側辺とし、長手方向の両端はそれぞれ第一端部と第二端部とし、前記二つの第一挟持アームは、前記第一基部の頂部に一体的に形成されると共に、それぞれが前記第一基部の第一端部と第二端部の近くに位置し、前記第一基部の第一側辺に第一凹穴が凹設され、前記第一位置決めブロックは前記第一凹穴の中に収容され、前記二つの第一回動部材はそれぞれ回動可能に前記第一基部に設けられ、かつ前記第一基部の第一端部と第二端部の近くに位置し、前記二つの第一回動部材における相互に遠ざかる面にそれぞれ接触点が設けられる。
【００１２】
前記第二導電座は、前記設置台座の第二収納槽に設けられ、前記第二挿入穴の下方に位置し、かつ第二挟持部材及び二つの第二回動部材を含み、前記第二挟持部材は第二基部及び二つの第二挟持アームを含み、前記第二基部の短手方向の両側は、それぞれ第一側辺と第二側辺とし、長手方向の両端はそれぞれ第一端部と第二端部とし、前記二つの第二挟持アームは、前記第二基部の頂部に一体的に形成されると共に、それぞれが前記第二基部の第一端部と第二端部の近くに位置し、前記第二基部の第一側辺に第二凹穴が凹設され、前記第二位置決めブロックは前記第二凹穴の中に収容され、前記二つの第二回動部材はそれぞれ回動可能に前記第二基部に設けられ、かつ前記第二基部の第一端部と第二端部の近くに位置し、前記二つの第二回動部材における相互に遠ざかる面にそれぞれ接触点が設けられる。
【００１３】
前記第一電気接続片は、前記設置台座に設けられ、第一電線に電気的に接続され、かつ接触点を含む。
【００１４】
前記第二電気接続片は、前記設置台座に設けられ、第二電線に電気的に接続され、かつ接触点を含む。
【００１５】
前記第一絶縁片は、前記第一電気接続片と前記第一回動部材のうちの一方との間に配置される。
【００１６】
前記第二絶縁片は、前記第二電気接続片と前記第二回動部材のうちの一方との間に配置される。
【００１７】
前記第一導電片は、第一端部と第二端部を含み、前記第一端部は、前記第一収納槽に進入すると共に、前記第一電気接続片と前記第一絶縁片との間に位置し、前記第一電気接続片との間には一定の距離が存在し、かつ前記第一電気接続片に面する一面には接触点が突出され、前記第二端部は、前記第二収納槽に進入すると共に、他方の前記第二回動部材の一側に位置し、他方の前記第二回動部材との間に一定の距離が存在し、かつ他方の前記第二回動部材に面する一面には接触点が突出される。
【００１８】
前記第二導電片は、第一端部と第二端部を含むと共に前記第一導電片と接触せず、前記第一端部は、前記第二収納槽に進入すると共に、前記第二電気接続片と前記第二絶縁片との間に位置し、前記第二電気接続片との間には一定の距離が存在し、かつ前記第二電気接続片に面する一面には接触点が突出され、前記第二端部は、前記第一収納槽に進入すると共に、他方の前記第一回動部材の一側に位置し、他方の前記第一回動部材との間に一定の距離が存在し、かつ他方の前記第一回動部材に面する一面には接触点が突出される。
【００１９】
前記プラグの二つのピンがそれぞれ前記第一挿入穴と前記第二挿入穴に挿入される場合、前記ピンのうちの一方が前記二つの第一挟持アームの間に挟持されると共に、前記二つの第一挟持アームが相互に遠ざかるように外側へ押され、前記二つの第一回動部材が前記二つの第一挟持アームにより相互に遠ざかるように外側へ押され、前記二つの第一回動部材のうちの一方の接触点が前記第一絶縁片を押し、前記第一絶縁片が前記第一電気接続片を押すことにより前記第一電気接続片の接触点を前記第一導電片の第一端部の接触点と電気的に接触させると共に、前記第一回動部材のうちの他方の接触点を前記第二導電片の第二端部の接触点と電気的に接触させ、前記ピンのうちの他方が前記二つの第二挟持アームの間に挟持されると共に、前記二つの第二挟持アームが相互に遠ざかるように外側へ押され、前記二つの第二回動部材が前記二つの第二挟持アームにより相互に遠ざかるように外側へ押され、前記第二回動部材のうちの一方の接触点が前記第二絶縁片を押し、前記第二絶縁片が前記第二電気接続片を押すことにより前記第二電気接続片の接触点を前記第二導電片の第一端部の接触点と電気的に接触させると共に、前記第二回動部材のうちの他方の接触点を前記第一導電片の第二端部の接触点と電気的に接触させ、これにより、前記第一及び第二電気接続片、前記第一及び第二導電片、他方の前記第一回動部材、他方の前記第二回動部材、前記二つのピンを導通状態にする。
【００２０】
前記プラグの二つのピンが前記第一挿入穴と前記第二挿入穴から抜き出される場合、前記二つの第一回動部材が復帰するように内側へ移動され、前記二つの第二回動部材が復帰するように内側へ移動されることにより、前記第一及び第二電気接続片、前記第一及び第二絶縁片、前記二つの第一回動部材、前記二つの第二回動部材及び前記第一、第二導電片の第一、第二端部を相互に遠ざかるように非導通状態にする。
【００２１】
好ましくは、前記第一基部に二つの第一通し穴が設けられ、前記二つの第一挟持アームは前記二つの第一通し穴の間に位置し、前記二つの第一回動部材の底部にそれぞれ第一ホックが突出され、前記二つの第一ホックはそれぞれ前記二つの第一通し穴を通過し、かつ前記第一基部に引っ掛けることにより、前記二つの第一回動部材が着脱可能に前記第一基部に設けられると共に、前記第一基部の第一端部、第二端部の近くに位置するようにし、前記第一導電座は第一弾性部材を含み、前記第一弾性部材の両端部はそれぞれ前記二つの第一回動部材に設けられ、前記第二基部に二つの第二通し穴が設けられ、前記二つの第二挟持アームは前記二つの第二通し穴の間に位置し、前記二つの第二回動部材の底部にそれぞれ第二ホックが突出され、前記二つの第二ホックはそれぞれ前記二つの第二通し穴を通過し、かつ前記第二基部に引っ掛けることにより、前記二つの第二回動部材が着脱可能に前記第二基部に設けられると共に、前記第二基部の第一端部、第二端部の近くに位置するようにし、前記第二導電座は第二弾性部材を含み、前記第二弾性部材の両端部はそれぞれ前記二つの第二回動部材に設けられ、前記二つの第一回動部材がピンのうちの一方に相互に遠ざかるように押される場合、前記二つの第一回動部材は前記第一ホックを支点として前記第一基部に対して外へ回動することにより、前記第一弾性部材が前記二つの第一回動部材に引っ張られるようにし、前記二つの第二回動部材がピンのうちの他方に相互に遠ざかるように押される場合、前記二つの第二回動部材は前記第二ホックを支点として前記第二基部に対して外へ回動することにより、前記第二弾性部材が前記二つの第二回動部材に引っ張られるようにし、前記プラグの二つのピンが前記第一挿入穴と前記第二挿入穴から抜き出される場合、前記二つの第一回動部材が前記第一弾性部材による弾力により復帰するように内側に引っ張られ、前記二つの第二回動部材が前記第二弾性部材による弾力により復帰するように内側に引っ張られる。
【００２２】
好ましくは、前記第一収納槽の底面に二つの第一凹部が凹設され、前記二つの第一回動部材の第一ホックはそれぞれ前記二つの第一凹部に収容され、前記第二収納槽の底面に二つの第二凹部が凹設され、前記二つの第二回動部材の第二ホックはそれぞれ前記二つの第二凹部に収容される。
【００２３】
好ましくは、前記二つの第一凹部及び前記二つの第二凹部のいずれも前記設置台座の底部を貫通する貫通孔状となる。
【００２４】
好ましくは、前記第一収納槽の底面に二つの第一溝が凹設され、前記二つの第一溝が前記第一収納槽の短手方向に沿って伸びると共に、それぞれ前記二つの第一凹部を通過し、前記第一凹部のそれぞれが前記第一収納槽の長手方向における幅は、前記第一溝のそれぞれが前記第一収納槽の長手方向における幅より大きく、前記第二収納槽の底面に二つの第二溝が凹設され、前記二つの第二溝が前記第二収納槽の短手方向に沿って伸びると共に、それぞれ前記二つの第二凹部を通過し、前記第二凹部のそれぞれが前記第二収納槽の長手方向における幅は、前記第二溝のそれぞれが前記第二収納増の長手方向における幅より大きい。
【００２５】
好ましくは、前記第一回動部材のそれぞれは、第一内壁、第一外壁及び第一湾曲部が一体的に形成され、前記第一湾曲部が第一内壁と第一外壁の底部と接続され、前記第一内壁が他の第一回動部材に向かって伸びてから折返して伸びるようにＺ字形に折曲されると共に、その頂部から第一突っ張り部が突設され、前記第一弾性部材はバネであり、かつ両端がリング状となると共に前記二つの第一突っ張り部に引っ掛けるように設けられ、第一回動部材のそれぞれの接触点は前記第一外壁における前記第一内壁から遠ざかる側に設けられ、前記第二回動部材のそれぞれは、第二内壁、第二外壁及び第二湾曲部が一体的に形成され、前記第二湾曲部が第二内壁と第二外壁の底部とに接続され、前記第二内壁が他の第二回動部材に向かって伸びてから折返して伸びるようにＺ字形に折曲されると共に、その頂部から第二突っ張り部が突設され、前記第二弾性部材はバネであり、かつ両端がリング状となると共に前記二つの第二突っ張り部に引っ掛けるように設けられ、第二回動部材のそれぞれの接触点は前記第二外壁における前記第二内壁から遠ざかる側に設けられる。
【００２６】
好ましくは、前記第一収納槽における前記第二収納槽から遠ざかる一側の内側壁に二つの第一ガイド槽が設けられ、前記第二収納槽における前記第一収納槽から遠ざかる一側の内側壁に二つの第二ガイド槽が設けられ、前記二つの第一挟持アームの外側面にそれぞれ第一突出ブロックが突設され、前記二つの第一突出ブロックが前記二つの第一ガイド槽に摺接され、前記二つの第二挟持アームの外側面にそれぞれ第二突出ブロックが突設され、前記二つの第二突出ブロックが前記二つの第二ガイド槽に摺接される。
【００２７】
好ましくは、前記ベースの底部に第一嵌合穴が設けられ、前記ベースの側面にその頂部まで貫通する第一嵌合溝が設けられ、前記設置台座の底部に第二嵌合穴が設けられ、前記設置台座の側面にその底部まで貫通する第二嵌合溝が設けられ、前記第一電気接続片は第一端部と第二端部を有し、前記第一電気接続片の第一端部が前記第一収納槽に位置し、前記第一電気接続片の接触点は前記第一電気接続片の第一端部に設けられ、前記第一電気接続片の第二端部は、前記設置台座の底部の第二嵌合穴と前記ベースの底部の第一嵌合穴を通過すると共に前記第一電線と電気的に接続され、前記第一絶縁片が前記第一収納槽の底面から上へ突出すると共に、前記第一電気接続片の第一端部と第一回動部材のうちの一つとの間に位置し、前記第二電気接続片は第一端部と第二端部を有し、前記第二電気接続片の第一端部が前記第二収納槽に位置し、前記第二電気接続片の接触点は前記第二電気接続片の第一端部に設けられ、前記第二電気接続片の第二端部は、前記設置台座の側面の第二嵌合溝と前記ベースの側面の第一嵌合溝を通過すると共に前記第二電線と電気的に接続され、前記第二絶縁片が前記第二収納槽の底面から上へ突出すると共に、前記第二電気接続片の第一端部と第二回動部材のうちの一つとの間に位置する。
【００２８】
好ましくは、前記設置台座の底部から二つの柱体が下へ突出され、前記第一導電片が連結部を含み、前記第一導電片の連結部は前記第一導電片の第一端部、第二端部との間に接続されると共に位置決め穴が設けられ、前記柱体のうちの一方は前記第一導電片の連結部の位置決め穴に挿設され、前記第二導電片が連結部を含み、前記第二導電片の連結部は前記第二導電片の第一端部と第二端部との間に接続されると共に位置決め穴が設けられ、前記柱体のうちの他方は前記第二導電片の連結部の位置決め穴に挿設され、前記第一導電片の連結部が折曲することにより前記第二導電片の連結部を遠回りして前記第二導電片の連結部と接触しない。
【００２９】
好ましくは、前記カバーに二つの貫通穴が設けられ、前記安全コンセントはさらにスイッチ装置を含み、前記スイッチ装置は前記設置台座に設けられると共に、板部材と、第三弾性部材と、第一スイッチと、第二スイッチと、を含み、前記第三弾性部材は、前記板部材の底部と前記設置台座の底面との間に設けられ、前記第一スイッチと前記第二スイッチは、前記板部材の頂部に設けられると共に、それぞれ前記二つの貫通穴を通過し、前記プラグの二つのピンがそれぞれ前記第一挿入穴、前記第二挿入穴に挿入される場合、前記第一スイッチと前記第二スイッチが前記プラグに押されて下へ移動され、前記板部材が下へ移動されると共に前記第三弾性部材を付勢することで、前記第一スイッチと前記第二スイッチをそれぞれ前記第一導電片、前記第二導電片と電気的に接続されることにより、前記第一電気接続片、前記第二電気接続片、前記第一導電片、前記第二導電片、他方の前記第一回動部材、他方の前記第二回動部材、前記第一スイッチ、前記第二スイッチ、前記プラグの二つのピンを導通状態にし、前記プラグの二つのピンが前記第一挿入穴と第二挿入穴から抜き出される場合、前記第三弾性部材による弾力で前記板部材が押されて上へ移動され、前記第一スイッチ、前記第二スイッチが上へ移動されると共に、前記第一導電片、前記第二導電片と電気的に分離されることにより、前記第一電気接続片、第二電気接続片、前記第一絶縁片、前記第二絶縁片、前記二つの第一回動部材、前記二つの第二回動部材、前記第一導電片及び前記第二導電片の第一端部、第二端部及び第一スイッチ、第二スイッチを相互に遠ざかるように非導通状態にする
【考案の効果】
【００３０】
本考案によれば、部品点数が少なく、組み立て易く、製造コストが低いなどのメリットがあると共に、導電性のある、プラグ以外の異物が挿入される時における感電を防止することができ、安全性が高い。また、二つの安全措置が設けられ、感電防止効果を向上させ、安全性がより高い。なお、プラグのピンがコンセントの挿入穴に挿入される際、またはコンセントの挿入穴から抜き出される瞬間に、電気火花現象またはアーク現象が起きないようにする。
【図面の簡単な説明】
【００３１】
【図１】本考案の安全コンセントの第一実施例の斜視図である。
【図２】本考案の安全コンセントの第一実施例の分解図である。
【図３Ａ】本考案の安全コンセントの第一実施例の設置台座及びその内部の部材の平面図である。
【図３Ｂ】本考案の安全コンセントの第一実施例の設置台座、第一、第二導電座の分解図である。
【図３Ｃ】本考案の安全コンセントの第一実施例の第一、第二導電座の分解図である。
【図４Ａ】本考案の安全コンセントの第一実施例の設置台座及びその内部の部材の底面図である。
【図４Ｂ】本考案の安全コンセントの第一実施例の設置台座、第一、第二導電片及び第一、第二電気接続片の分解図である。
【図５Ａ】本考案の安全コンセントの第一実施例の設置台座及びその内部の部材の断面図である。
【図５Ｂ】本考案の安全コンセントの第一実施例の設置台座及びその内部の部材の他の角度の断面図である。
【図６Ａ】本考案の安全コンセントの第一実施例の第一導電座にプラグが挿入されたことを示す図である。
【図６Ｂ】本考案の安全コンセントの第一実施例の第二導電座にプラグが挿入されたことを示す図である。
【図７】本考案の安全コンセントの第二実施例の斜視図である。
【図８】本考案の安全コンセントの第二実施例の分解図である。
【図９Ａ】本考案の安全コンセントの第二実施例の設置台座及びその内部の部材の平面図である。
【図９Ｂ】本考案の安全コンセントの第二実施例の設置台座、第一、第二導電座の分解図である。
【図９Ｃ】本考案の安全コンセントの第二実施例の第一、第二導電座の分解図である。
【図１０Ａ】本考案の安全コンセントの第二実施例の設置台座及びその内部の部材の底面図である。
【図１０Ｂ】本考案の安全コンセントの第二実施例の設置台座、第一、第二導電片及び第一、第二電気接続片の分解図である。
【図１１Ａ】本考案の安全コンセントの第二実施例の断面図である。
【図１１Ｂ】本考案の安全コンセントの第二実施例の他の視角の断面図である。
【図１２Ａ】本考案の安全コンセントの第二実施例の第一導電座にプラグのピンが挿入されたことを示す図である。
【図１２Ｂ】本考案の安全コンセントの第二実施例の第二導電座にプラグのピンが挿入されたことを示す図である。
【考案を実施するための形態】
【００３２】
以下、図面を参照しながら、本考案の実施例を詳細に説明する。
【００３３】
まず、図１〜図５Ｂを参照する。図１は、本考案の安全コンセントの第一実施例の斜視図である。図２は、本考案の安全コンセントの第一実施例の分解図である。図３Ａは、本考案の安全コンセントの第一実施例の設置台座及びその内部の部材の平面図である。図３Ｂは、本考案の安全コンセントの第一実施例の設置台座、第一、第二導電座の分解図である。図４Ａは、本考案の安全コンセントの第一実施例の設置台座及びその内部の部材の底面図である。図４Ｂは、本考案の安全コンセントの第一実施例の設置台座、第一、第二導電片及び第一、第二電気接続片の分解図である。図５Ａは、本考案の安全コンセントの第一実施例の設置台座及びその内部の部材の断面図である。図５Ｂは、本考案の安全コンセントの第一実施例の設置台座及びその内部の部材の他の角度の断面図である。本考案は、プラグ２の挿入に用いられる安全コンセントを提供する。安全コンセントは、本体１０と、第一導電座２０と、第二導電座３０と、第一電気接続片４０と、第二電気接続片５０と、第一絶縁片６０と、第二絶縁片７０と、第一導電片８０と、第二導電片９０とを備える。
【００３４】
本体１０は、カバー１１と、ベース１２、と、設置台座１３と、を含む。カバー１１は第一挿入穴１１１及び第二挿入穴１１２を有し、かつ着脱可能にベース１２に組み立てられることによりベース１２と共に収納空間を形成し、設置台座１３は収納空間の中に配置され、かつ第一収納槽１３１及び第二収納槽１３２を含み、第一収納槽１３１の底部と第一収納槽１３１における第二収納槽１３２寄りの一側の内側の壁との接続部に第一位置決めブロック１３１１が突設され、第二収納槽１３２の底部と第二収納槽１３２における第一収納槽１３１寄りの一側の内側の壁との接続部に第二位置決めブロック（図示せず）が突設される。
【００３５】
さらに説明すると、図１、図２、図３Ａ、図３Ｂに示すように、第一収納槽１３１の底面に二つの第一凹部１３１２及び二つの第一溝１３１３が凹設され、二つの第一溝１３１３が第一収納槽１３１の短手方向に沿って伸びると共に、それぞれ二つの第一凹部１３１２を通過し、第一凹部１３１２のそれぞれが第一収納槽１３１の長手方向における幅は、第一溝１３１３のそれぞれが第一収納槽１３１の長手方向における幅より大きい。
【００３６】
図３Ａ及び図４Ｂに示すように、第二収納槽１３２の底面に二つの第二凹部１３２２及び二つの第二溝（図示せず）が凹設され、二つの第二溝が第二収納槽１３２の短手方向に沿って伸びると共に、それぞれ二つの第二凹部１３２２を通過し、第二凹部１３２２のそれぞれが第二収納槽１３２の長手方向における幅は、第二溝のそれぞれが第二収納槽１３２の長手方向における幅より大きい。好ましくは、二つの第一凹部１３１２及び二つの第二凹部１３２２のいずれも設置台座１３の底部を貫通する貫通孔状となる。
【００３７】
図３Ａと図４Ｂに示すように、第一収納槽１３１における第二収納槽１３２から遠ざかる一側の内側壁に二つの第一ガイド槽１３１４が設けられ、第二収納槽１３２における第一収納槽１３１から遠ざかる一側の内側壁に二つの第二ガイド槽１３２４が設けられる。
【００３８】
図２、図３Ａ、図３Ｂに示すように、ベース１２の底部に第一嵌合穴１２１が設けられ、ベース１２の側面にその頂部まで貫通する第一嵌合溝１２２が設けられ、設置台座１３の底部に第二嵌合穴１３３が設けられ、設置台座１３の側面にその底部まで貫通する第二嵌合溝１３４が設けられる。
【００３９】
図１、図２、図４Ａ、図４Ｂに示すように、設置台座１３の底部から三つの柱体１３５、１３６、１３７が下へ突出される。
【００４０】
第一導電座２０は、設置台座１３の第一収納槽１３１に設けられ、第一挿入穴１１１の下方に位置し、かつ第一挟持部材２１及び二つの第一回動部材２２、２３を含む。図３Ａ、図３Ｂ、図３Ｃ、図５Ａに示すように、第一挟持部材２１は第一基部２１１及び二つの第一挟持アーム２１２、２１３を含み、第一基部２１１の短手方向の両側は、それぞれ第一側辺と第二側辺とし、長手方向の両端はそれぞれ第一端部と第二端部とし、二つの第一挟持アーム２１２、２１３は、第一基部２１１の頂部に一体的に形成されると共に、それぞれが第一基部２１１の第一端部と第二端部の近くに位置し、第一基部２１１の第一側辺に第一凹穴２１２１が凹設され、第一位置決めブロック１３１１は第一凹穴２１２１の中に収容され、二つの第一回動部材２２、２３はそれぞれ回動可能に第一基部２１１に設けられ、かつ第一基部２１１の第一端部と第二端部の近くに位置し、二つの第一回動部材２２、２３における相互に遠ざかる面にそれぞれ接触点２２１、２３１が設けられる。好ましくは、二つの第一挟持アーム２１３の外側面にそれぞれ第一突出ブロック２１３１が突設され、二つの第一突出ブロック２１３１が二つの第一ガイド槽１３１４に摺接される。
【００４１】
好ましくは、第一基部２１１に二つの第一通し穴２１１１が設けられ、二つの第一挟持アーム２１２、２１３は二つの第一通し穴２１１１の間に位置し、二つの第一回動部材２２、２３の底部にそれぞれプレス加工により第一ホック２２２、２３２が突出され、二つの第一ホック２２２、２３２はそれぞれ二つの第一通し穴２１１１を通過し、かつ第一基部２１１に引っ掛けると共にそれぞれ二つの第一凹部１３１２に収容されることにより、二つの第一回動部材２２、２３が着脱可能に第一基部２１１に設けられると共に、第一基部２１１の第一端部、第二端部の近くに位置するようにし、第一導電座２０は第一弾性部材２４を含み、第一弾性部材２４の両端部はそれぞれ二つの第一回動部材２２、２３に設けられる。
【００４２】
好ましくは、第一回動部材２２、２３のそれぞれは、第一内壁２２３、２３３、第一外壁２２４、２３４及び第一湾曲部２２５、２３５が一体的に形成され、第一湾曲部２２５、２３５が第一内壁２２３、２３３と第一外壁２２４、２３４の底部と接続され、第一内壁２２３、２３３が他の第一回動部材２２、２３に向かって伸びてから折返して伸びるようにＺ字形に折曲されると共に、その頂部から第一突っ張り部２２３１、２３３１が突設され、第一弾性部材２４はバネであり、かつ両端がリング状となると共に二つの第一突っ張り部２２３１、２３３１に引っ掛けるように設けられ、第一回動部材２２、２３のそれぞれの接触点２２１、２３１は第一外壁２２４、２３４における第一内壁２２３、２３３から遠ざかる側に設けられる。
【００４３】
好ましくは、第一挟持部材２１は第三挟持アーム２１４をさらに有し、第三挟持アーム２１４は第一基部２１１の頂部に一体的に形成され、かつ第一基部２１１の第一側辺の近くに位置し、第三挟持アーム２１４の対向側は何らかの構造も形成されていない開放側であり、第一凹穴２１２１が上へ第三挟持アーム２１４まで伸び、二つの第一突出ブロック２１３１はそれぞれ二つの第一挟持アーム２１２、２１３における第三挟持アーム２１４から遠ざかる側に突出する。
【００４４】
第二導電座３０は、設置台座１３の第二収納槽１３２に設けられ、第二挿入穴１１２の下方に位置し、かつ第二挟持部材３１及び二つの第二回動部材３２、３３を含む。図３Ａ、図３Ｂ、図３Ｃ、図５Ｂに示すように、第一挟持部材３１は第二基部３１１及び二つの第二挟持アーム３１２、３１３を含み、第二基部３１１の短手方向の両側は、それぞれ第一側辺と第二側辺とし、長手方向の両端はそれぞれ第一端部と第二端部とし、二つの第二挟持アーム３１２、３１３は、第二基部３１１の頂部に一体的に形成されると共に、それぞれが第二基部３１１の第一端部と第二端部の近くに位置し、第二基部３１１の第一側辺に第二凹穴３１２１が凹設され、第二位置決めブロックは第二凹穴３１２１の中に収容され、二つの第二回動部材３２、３３はそれぞれ回動可能に第二基部３１１に設けられ、かつ第二基部３１１の第一端部と第二端部の近くに位置し、二つの第二回動部材３２、３３における相互に遠ざかる面にそれぞれ接触点３２１、３３１が設けられる。
【００４５】
好ましくは、二つの第二挟持アーム３１３の外側面にそれぞれ第二突出ブロック３１３１が突設され、二つの第二突出ブロック３１３１が二つの第二ガイド槽１３２４に摺接される。好ましくは、第二基部３１１に二つの第二通し穴３１１１が設けられ、二つの第二挟持アーム３１２、３１３は二つの第二通し穴３１１１の間に位置し、二つの第二回動部材３２、３３の底部にそれぞれ第二ホック３２２、３３２が突出され、二つの第二ホック３２２、３３２はそれぞれ二つの第二通し穴３１１１を通過し、かつ第二基部３１１に引っ掛けると共にそれぞれ二つの第二凹部１３２２に収容されることにより、二つの第二回動部材３２、３３が着脱可能に第二基部３１１に設けられると共に、第二基部３１１の第一端部、第二端部の近くに位置するようにし、第二導電座３０は第二弾性部材３４を含み、第二弾性部材３４の両端部はそれぞれ二つの第二回動部材３２、３３に設けられる。
【００４６】
好ましくは、第二回動部材３２、３３のそれぞれは、第二内壁３２３、３３３、第二外壁３２４、３３４及び第二湾曲部３２５、３３５が一体的に形成され、第二湾曲部３２５、３３５が第二内壁３２３、３３３と第二外壁３２４、３３４の底部と接続され、第二内壁３２３、３３３が他の第二回動部材３２、３３に向かって伸びてから折返して伸びるようにＺ字形に折曲されると共に、その頂部から第二突っ張り部３２３１、３３３１が突設され、第二弾性部材３４はバネであり、かつ両端がリング状となると共に二つの第二突っ張り部３２３１、３３３１に引っ掛けるように設けられ、第二回動部材３２、３３のそれぞれの接触点３２１、３３１は第二外壁３２４、３３４における第二内壁３２３、３３３から遠ざかる側に設けられる。
【００４７】
好ましくは、第二挟持部材３１は第四挟持アーム３１４をさらに有し、第四挟持アーム３１４は第二基部３１１の頂部に一体的に形成され、かつ第二基部３１１の第一側辺の近くに位置し、第四挟持アーム３１４の対向側は何らかの構造も形成されていない開放側であり、第二凹穴３１２１が上へ第四挟持アーム３１４まで伸び、二つの第二突出ブロック３１３１はそれぞれ二つの第二挟持アーム３１２、３１３における第四挟持アーム３１４から遠ざかる側に突出する。
【００４８】
第一電気接続片４０は、設置台座１３に設けられ、第一電線（図示せず）に電気的に接続され、かつ接触点４１を含む。具体的には、図４Ａ、図４Ｂ、図５Ａに示すように、第一電気接続片４０は第一端部４２と第二端部４３を有し、第一電気接続片４０の第一端部４２が第一収納槽１３１に位置し、第一電気接続片４０の接触点４１は第一電気接続片４０の第一端部４２に設けられ、第一電気接続片４０の第二端部４３は、設置台座１３の底部の第二嵌合穴１３３とベース１２の底部の第一嵌合穴１２１を通過すると共に第一電線と電気的に接続される。
【００４９】
第二電気接続片５０は、設置台座１３に設けられ、第二電線（図示せず）に電気的に接続され、かつ接触点５１を含む。具体的には、図１、図４Ａ、図４Ｂ、図５Ｂに示すように、第二電気接続片５０は第一端部５２と第二端部５３を有し、第二電気接続片５０の第一端部５２が第二収納槽１３２に位置し、第二電気接続片５０の接触点５１は第二電気接続片５０の第一端部５２に設けられ、第一電気接続片５０の第二端部５３は、設置台座１３の側面の第二嵌合穴１３４とベース１２の側面の第一嵌合穴１２２を通過すると共に第二電線と電気的に接続される。
【００５０】
第一絶縁片６０は、第一電気接続片４０と第一回動部材２３のうちの一方との間に配置される。具体的には、図３Ａと図５Ａに示すように、第一絶縁片６０が第一収納槽１３１の底面から上へ突出すると共に、第一電気接続片４０の第一端部４２と第一回動部材２３のうちの一つとの間に位置する。
【００５１】
第二絶縁片７０は、第二電気接続片５０と第二回動部材３２のうちの一方との間に配置される。具体的には、図３Ａと図５Ａに示すように、第二絶縁片７０が第二収納槽１３２の底面から上へ突出すると共に、第二電気接続片５０の第一端部５２と第二回動部材３２のうちの一つとの間に位置する。
【００５２】
第一導電片８０は、第一端部８１と第二端部８２を含み、第一端部８１は、第一収納槽１３１に進入すると共に、第一電気接続片４０と第一絶縁片６０との間に位置し、第一電気接続片４０との間には一定の距離が存在し、かつ第一電気接続片４０に面する一面には接触点８３が突出され、第二端部８２は、第二収納槽１３２に進入すると共に、他方の第二回動部材３３の一側に位置し、他方の第二回動部材３３との間に一定の距離が存在し、かつ他方の第二回動部材３３に面する一面には接触点８４が突出される。更に詳しく説明すると、図３Ａ、図４Ａ、図４Ｂ、図５Ａ、図５Ｂに示すように、第一導電片８０が連結部８５を含み、第一導電片８０の連結部８５は第一導電片８０の第一端部８２、第二端部８３との間に接続されると共に位置決め穴８５１が設けられ、柱体１３７は第一導電片８０の連結部８５の位置決め穴８５１に挿設されることにより、第一導電片８０を設置台座１３に位置決めさせる。
【００５３】
第二導電片９０は、第一端部９１と第二端部９２を含むと共に第一導電片８０と接触せず、第一端部９１は、第二収納槽１３２に進入すると共に、第二電気接続片５０と第二絶縁片７０との間に位置し、第二電気接続片５０との間には一定の距離が存在し、かつ第二電気接続片５０に面する一面には接触点９３が突出され、第二端部９２は、第一収納槽１３１に進入すると共に、他方の第一回動部材２２の一側に位置し、他方の第一回動部材２２との間に一定の距離が存在し、かつ他方の第一回動部材２２に面する一面には接触点９４が突出される。更に詳しく説明すると、図３Ａ、図４Ａ、図４Ｂ、図５Ａ、図５Ｂに示すように、第二導電片９０が連結部９５を含み、第二導電片９０の連結部９５は第二導電片９０の第一端部９１、第二端部９２との間に接続されると共に二つの位置決め穴９５１が設けられ、柱体１３５、１３６は第二導電片９０の連結部９５の位置決め穴９５１に挿設されることにより、第二導電片９０を設置台座１３に位置決めさせる。また、第一導電片８０の連結部８５が折曲することにより第二導電片９０の連結部９５を遠回りして第二導電片９０の連結部９５と接触しない。
【００５４】
また、図５Ａと図５Ｂに示すように、プラグ２の二つのピン２０１、２０１’が第一挿入穴１１１と第二挿入穴１１２に挿入されていない場合、第一及び第二電気接続片４０、５０、第一及び第二絶縁片６０、７０、二つの第一回動部材２２、２３、二つの第二回動部材３２、３３及び第一、第二導電片８０、９０の第一、第二端部８１、８２を相互に遠ざかるように非導通状態にする。言い換えると、外部の電源は本考案を通じてプラグに伝送されることができない。
【００５５】
次に、図６Ａと図６Ｂを参照する。図６Ａは本考案の安全コンセントの第一実施例の第一導電座にプラグが挿入されたことを示す図である。図６Ｂは本考案の安全コンセントの第一実施例の第二導電座にプラグが挿入されたことを示す図である。プラグ２の二つのピン２０１、２０１’がそれぞれ第一挿入穴１１１と第二挿入穴１１２に挿入される場合、図６Ａに示すように、ピン２０１が二つの第一挟持アーム２１２、２１３と第三挟持アーム２１４の間に挟持されると共に、二つの第一挟持アーム２１２、２１３が相互に遠ざかるように外側へ押され、二つの第一回動部材２２、２３が二つの第一挟持アーム２１２、２１３により相互に遠ざかるように外側へ押され、二つの第一回動部材２２、２３は第一ホック２２２、２３２を支点として第一基部２１１に対して外へ回動することにより、第一弾性部材２４が二つの第一回動部材２２、２３に引っ張られるようにし、第一回動部材２３の接触点２３１が第一絶縁片６０を押し、第一絶縁片６０が第一電気接続片４０の第一端部４２を押すことにより第一電気接続片４０の接触点４１を第一導電片８０の第一端部８１の接触点８３と電気的に接触させると共に、第一回動部材２２の接触点２２１を第二導電片９０の第二端部９２の接触点９４と電気的に接触させる。
【００５６】
図６Ｂに示すように、ピン２０１’が二つの第二挟持アーム３１２、３１３と第四挟持アーム３１４との間に挟持されると共に、二つの第二挟持アーム３１２、３１３が相互に遠ざかるように外側へ押され、二つの第二回動部材３２、３３が二つの第二挟持アーム３１２、３１３により相互に遠ざかるように外側へ押され、二つの第二回動部材３２、３３は第二ホック３２２、３３２を支点として第二基部３１１に対して外へ回動することにより、第二弾性部材３４が二つの第二回動部材３２、３３に引っ張られるようにし、第一回動部材３２の接触点３２１が第二絶縁片７０を押し、第二絶縁片７０が第二電気接続片５０の第一端部５２を押すことにより第二電気接続片５０の接触点５１を第二導電片９０の第一端部９１の接触点９３と電気的に接触させると共に、第一回動部材３３の接触点３３１を第一導電片８０の第二端部８２の接触点８４と電気的に接触させる。これにより、第一及び第二電気接続片４０、５０、第一及び第二導電片８０、９０、他方の第一回動部材２２、他方の第二回動部材３３、二つのピン２０１、２０１’を導通状態にする。
【００５７】
プラグ２の二つのピン２０１、２０１’が第一挿入穴１１１と第二挿入穴１１２から抜き出される場合、二つの第一回動部材２２、２３が第一弾性部材２４による弾力により図５Ａに示す位置に復帰するように内側に引っ張られ、二つの第二回動部材３２、３３が第二弾性部材３４による弾力により図５Ｂに示す位置に復帰するように内側に引っ張られる。これにより、第一及び第二電気接続片４０、５０、第一及び第二絶縁片６０、７０、二つの第一回動部材２２、２３、二つの第二回動部材３２、３３及び第一、第二導電片８０、９０の第一、第二端部８１、９１を相互に遠ざかるように非導通状態にする。こうすることにより、未使用における二つの第一回動部材および二つの第二回動部材の他の部材との接触を防止する。
【００５８】
以上のように、本考案の安全コンセントの第一実施例は、部品点数が少なく、組み立て易く、製造コストが低いなどのメリットがある。
【００５９】
正常でない状態における使用において、例えば子供が金属棒や指などの、導電性がある、プラグ以外の異物を、本考案の安全コンセントの本体１０の第一挿入穴１１１、第二挿入穴１１２に挿入した場合、挿入物の寸法は第一導電座２０、第二導電座３０とは異なるため、二つの第一回動部材２２、２３と二つの第二回動部材３２，３３を相互に遠ざかるように外側へ押すことができない。そのため、第一及び第二電気接続片４０、５０、第一及び第二絶縁片６０、７０、二つの第一回動部材２２、２３、二つの第二回動部材３２、３３及び第一、第二導電片８０、９０の第一、第二端部８１、９１は相互に遠ざかるように非導通状態となる。これにより、導電性のあるプラグ以外の異物の挿入による感電を防止することができ、安全性が高い。
【００６０】
注意すべきことは、二つの第一回動部材２２、２３の第一内壁２２３、２３３と二つの第二回動部材３２、３３の第二内壁３２３、３３３がＺ字形となるメリットは、ピン２０１、２０１’が有効に二つの第一回動部材２２、２３、二つの第二回動部材３２、３３と接触させることを保証すると共に、二つの第一回動部材２２、２３と二つの第二回動部材３２、３３を相互に遠ざかるように外側へ押すことである。
【００６１】
補足説明として、前記各接触点２２１，２３１、３２１、３３１，４１、５１、８３、８４、９３、９４の何れも銀接点である。
【００６２】
また、ベース１２にも多くの穴が設けられ、放熱に用いられることができるので、本考案の平常時の放熱に役に立つ。同様に、それらの穴は、排水に用いられてもよく、本考案の高湿気環境での排水に役に立ち、漏電の危険を防止することができる。
【００６３】
次に、図７〜１１Ｂを参照する。図７は、本考案の安全コンセントの第二実施例の斜視図である。図８は、本考案の安全コンセントの第二実施例の分解図である。図９Ａは、本考案の安全コンセントの第二実施例の設置台座及びその内部の部材の平面図である。図９Ｂは、本考案の安全コンセントの第二実施例の設置台座、第一、第二導電座の分解図である。図９Ｃは、本考案の安全コンセントの第二実施例の第一、第二導電座の分解図である。図１０Ａは、本考案の安全コンセントの第二実施例の設置台座及びその内部の部材の底面図である。図１０Ｂは、本考案の安全コンセントの第二実施例の設置台座、第一、第二導電片及び第一、第二電気接続片の分解図である。図１１Ａは、本考案の安全コンセントの第二実施例の断面図である。図１１Ｂは、本考案の安全コンセントの第二実施例の他の視角の断面図である。
【００６４】
第二実施例は、第一実施例と構成が基本的に同様であり、異なる構成は一部だけである。第一実施例の第一挿入穴１１１、第二挿入穴１１２は接地穴１１３に合わせて三つ穴タイプのコンセントとなるが、第二実施例では、接地穴がなく、第一挿入穴１１１、第二挿入穴１１２だけを有する、二つ穴タイプのコンセントとなる。第二実施例において第一実施例と同一部材の部材の符号は図１〜図６Ｂを参照すればよく、図７〜図１１Ｂは第二実施例で追加された部材の符号のみを示す。第二実施例で追加された部材において、カバー１１に二つの貫通穴１１４が設けられること、及びスイッチ装置１００を更に含むことが重要な特徴である。具体的には、スイッチ装置１００は設置台座１３に設けられると共に、板部材１００１と、第三弾性部材１００２と、第一スイッチ１００３と、第二スイッチ１００４と、を含み、第三弾性部材１００２は、板部材１００１の底部と設置台座１３の底面との間に設けられ、第一スイッチ１００３と第二スイッチ１００４は、板部材１００１の頂部に設けられると共に、それぞれ二つの貫通穴１１４を通過する。好ましくは、第三弾性部材１００２はバネである。
【００６５】
図１２Ａと図１２Ｂを参照する。図１２Ａは、本考案の安全コンセントの第二実施例の第一導電座にプラグのピンが挿入されたことを示す図である。図１２Ｂは、本考案の安全コンセントの第二実施例の第二導電座にプラグのピンが挿入されたことを示す図である。第二実施例は、第一実施例と操作方法及び原理が基本的に同様であり、異なる部分は一部だけである。その差異について説明すると、図１１Ａ、図１１Ｂに示すように、プラグ２の二つのピン２０１、２０１’がそれぞれ第一挿入穴１１１、第二挿入穴１１２に挿入される場合、第一スイッチ１００３と第二スイッチ１００４が押されて下へ移動され、板部材１００１が下へ移動されると共に第三弾性部材１００２を付勢することで、第一スイッチ１００３と第二スイッチ１００４をそれぞれ第一導電片８０、第二導電片９０と電気的に接続されることにより、第一電気接続片４０、第二電気接続片５０、第一導電片８０、第二導電片９０、他方の第一回動部材２２、他方の第二回動部材２３、第一スイッチ１００３、第二スイッチ１００４、プラグ２の二つのピン２０１、２０１’を導通状態にし、プラグ２の二つのピン２０１、２０１’が第一挿入穴１１１と第二挿入穴１１２から抜き出される場合、第三弾性部材１００２による弾力で板部材１００１が押されて上へ移動され、第一スイッチ１００３、第二スイッチ１００４が上へ移動されると共に、第一導電片８０、第二導電片９０と電気的に分離されることにより、第一電気接続片４０、第二電気接続片５０、第一絶縁片６０、第二絶縁片７０、二つの第一回動部材２２、２３、二つの第二回動部材３２、３３、第一導電片８０及び第二導電片９０の第一端部８１、第二端部９１及び第一スイッチ１００３、第二スイッチ１００４を相互に遠ざかるように非導通状態にする。
【００６６】
第二実施例では、第一実施例の全てのメリットを有する以外に、さらにスイッチ装置１００を第二安全措置として有することにより、本考案の感電防止効果を向上させ、安全性がより高い。また、第二実施例では、プラグ２の二つのピン２０１、２０１’が第一挿入穴１１１と第二挿入穴１１２に対して挿抜される過程において、第一スイッチ１００３、第二スイッチ１００４がそれぞれ第一導電片８０、第二導電片９０と電気的に分離される特徴により、第一電気接続片４０、第二電気接続片５０、第一絶縁片６０、第二絶縁片７０、二つの第一回動部材２２、２３、二つの第二回動部材３２、３３、第一導電片８０、第二導電片９０の第一端部８１、第二端部９１及び第一スイッチ１００３、第二スイッチ１００４を一瞬に非導通状態にするため、電気火花現象やアーク現象が起きることはない。
【００６７】
以上の内容は単に本考案の好ましい実施例を説明ためのものであり、本考案を限定する意図がない。そのため、同一の創作意図から離脱しない限り、本考案に対して加えられた修正や変更は、本考案の保護しようとする範囲内に属するものである。
【符号の説明】
【００６８】
２                          プラグ
２０１、２０１’            ピン
１０                        本体
１１                        カバー
１１１                      第一挿入穴
１１２                      第二挿入穴
１１３                      接地穴
１１４                      貫通穴
１２                        ベース
１２１                      第一嵌合穴
１２２                      第一嵌合溝
１３                        設置台座
１３１                      第一収納槽
１３１１                    第一位置決めブロック
１３１２                    第一凹部
１３１３                    第一溝
１３１４                    第一ガイド槽
１３２                      第二収納槽
１３２２                    第二凹部
１３２４                    第二ガイド槽
１３３                      第二嵌合穴
１３４                      第二嵌合溝
１３５、１３６、１３７      柱体
２０                        第一導電座
２１                        第一挟持部材
２１１                      第一基部
２１１１                    第一通し穴
２１２、２１３              第一挟持アーム
２１２１                    第一凹穴
２１３１                    第一突出ブロック
２１４                      第三挟持アーム
２２、２３                  第一回動部材
２２１、２３１              接触点
２２２、２３２              第一ホック
２２３、２３３              第一内壁
２２３１、２３３１          第一突っ張り部
２２４、２３４              第一外壁
２２５、２３５              第一湾曲部
２４                        第一弾性部材
３０                        第二導電座
３１                        第二挟持部材
３１１                      第二基部
３１１１                    第二通し穴
３１２、３１３              第二挟持アーム
３１２１                    第二凹穴
３１３１                    第二突出ブロック
３１４                      第四挟持アーム
３２，３３                  第二回動部材
３２１、３３１              接触点
３２２，３３２              第二ホック
３２３，３３３              第二内壁
３２３１，３３３１          第二突っ張り部
３２４、３３４              第二外壁
３２５、３３５              第二湾曲部
３４                        第二弾性部材
４０                        第一電気接続片
４１                        接触点
４２                        第一端部
４３                        第二端部
５０                        第二電気接続片
５１                        接触点
５２                        第一端部
５３                        第二端部
６０                        第一絶縁片
７０                        第二絶縁片
８０                        第一導電片
８１                        第一端部
８２                        第二端部
８３、８４                  接触点
８５                        連結部
８５１                      位置決め穴
９０                        第二導電片
９１                        第一端部
９２                        第二端部
９３、９４                  接触点
９５                        連結部
９５１                      位置決め穴
１００                      スイッチ装置
１００１                    板部材
１００２                    第三弾性部材
１００３                    第一スイッチ
１００４                    第二スイッチ
【図１】
0003216867.tif 000003
【図２】
0003216867.tif 000004
【図３Ａ】
0003216867.tif 000005
【図３Ｂ】
0003216867.tif 000006
【図３Ｃ】
0003216867.tif 000007
【図４Ａ】
0003216867.tif 000008
【図４Ｂ】
0003216867.tif 000009
【図５Ａ】
0003216867.tif 000010
【図５Ｂ】
0003216867.tif 000011
【図６Ａ】
0003216867.tif 000012
【図６Ｂ】
0003216867.tif 000013
【図７】
0003216867.tif 000014
【図８】
0003216867.tif 000015
【図９Ａ】
0003216867.tif 000016
【図９Ｂ】
0003216867.tif 000017
【図９Ｃ】
0003216867.tif 000018
【図１０Ａ】
0003216867.tif 000019
【図１０Ｂ】
0003216867.tif 000020
【図１１Ａ】
0003216867.tif 000021
【図１１Ｂ】
0003216867.tif 000022
【図１２Ａ】
0003216867.tif 000023
【図１２Ｂ】
0003216867.tif 000024